(57)【要約】  アンプルから流体を抽出するためのデバイスは、アンプル（３）を囲むように構成されているプランジャ本体（２）と、プランジャ本体（２）に対して移動可能であるシリンジ本体（４）とを備えている。シリンジ本体（４）は、ピストン部材（６）と、ピストン部材（６）の周りに同心状に構成されている外側管状ケーシング（８）とを備えている。ピストン部材（６）は、プランジャ本体（２）内に収容可能であり、アンプル（３）内に挿入されるように構成されている挿入端（１０）と、外側管状ケーシング（８）に取り付けられている放出端（１２）と、挿入端（１０）と放出端（１２）との間に伸長する管腔（１４）とを備えている。プランジャ本体（２）及びシリンジ本体（４）は、動作中にアンプル（３）を通してピストン部材（６）を移動させ、管腔（１４）を通してアンプル（３）から流体を押し出すように構成されているデバイス（１）の作動構成を形成する。【選択図】図１
2021501035.tif 000002
【特許請求の範囲】
【請求項１】
アンプルから流体を抽出するためのデバイスであって、
アンプル（３）を囲むように構成されているプランジャ本体（２）と、シリンジ本体（４）とを備え、前記プランジャ本体（２）は、前記シリンジ本体（４）に対して移動可能であり、前記シリンジ本体（４）は、ピストン部材（６）と、前記ピストン部材（６）の周りに同心状に構成されている外側管状ケーシング（８）とを有し、
前記ピストン部材（６）は、前記プランジャ本体（２）内に収容可能であり、前記アンプル（３）内に挿入されるように構成されている挿入端（１０）と、前記外側管状ケーシング（８）に取り付けられている放出端（１２）と、前記挿入端（１０）と前記放出端（１２）との間に伸長する管腔（１４）とを備え、
前記プランジャ本体（２）及び前記シリンジ本体（４）は、動作中に前記アンプル（３）を通して前記ピストン部材（６）を移動させ、前記管腔（１４）を通して前記アンプル（３）から流体を押し出すように構成されている前記デバイス（１）の作動構成を形成する、デバイス。
【請求項２】
前記デバイス（１）は、前記ピストン部材（６）の前記放出端（１２）に接続可能な取り付け部分（１８）を有する容器部（１６）をさらに備える、請求項１に記載のデバイス。
【請求項３】
前記容器部（１６）は、前記取り付け部分（１８）の反対側に穴（２０）を備える、請求項２に記載のデバイス。
【請求項４】
前記デバイス（１）は、動作中に、前記プランジャ本体（２）の内面（２ａ）と密封係合する第１の密封面（２６）と、前記アンプル（３）の外面（３ａ）と密封係合するように構成されている第２の密封面（２８）と、前記ピストン部材（６）の外面（６ａ）と密封係合する第３の密封面（３０）とを有する密封部材（２４）をさらに備える、請求項１〜３のうちのいずれか１項に記載のデバイス。
【請求項５】
前記密封部材（２４）は、前記第１、第２及び／又は前記第３の密封面（２６、２８、３０）に上設けられた１つ以上の周方向リッジ（３２）を備える、請求項４に記載のデバイス。
【請求項６】
前記密封部材（２４）及び前記プランジャ本体（２）は、単一のコンポーネントに一体化される、請求項４又は５に記載のデバイス。
【請求項７】
前記ピストン部材（６）の前記挿入端（１０）は、前記アンプル（３）の壁部を通して貫通するための貫通部分（１０ａ）を備える、請求項１〜６のうちのいずれか１項に記載のデバイス。
【請求項８】
前記貫通部分（１０ａ）は、段階的な直径プロフィールを備える、請求項７に記載のデバイス。
【請求項９】
前記ピストン部材（６）の外径は、前記アンプル（３）の内大径と実質的に等しいか、又はそれより小さい、請求項１〜８のうちのいずれか１項に記載のデバイス。
【請求項１０】
前記管腔（１４）の内径は、前記アンプル（３）の内大径の予め定められた割合未満である、請求項１〜９のうちのいずれか１項に記載のデバイス。
【請求項１１】
前記管腔（１４）の内径は、前記アンプル（３）の内径の予め定められた割合よりも大きい、請求項１〜９のうちのいずれか１項に記載のデバイス。
【請求項１２】
前記管腔（１４）は、フィルタ部材（３４）を備える、請求項１〜１１のうちのいずれか１項に記載のデバイス。
【請求項１３】
前記プランジャ本体（２）及び前記シリンジ本体（４）によって形成される前記作動構成は、前記プランジャ本体（２）と前記シリンジ本体（４）との間にスライド構成を備える、請求項１〜１２のうちのいずれか一項に記載のデバイス。
【請求項１４】
前記プランジャ本体（２）及び前記シリンジ本体（４）によって形成される前記作動構成は、前記プランジャ本体（２）と前記シリンジ本体（４）との間にねじ切り構成をさらに備える、請求項１３に記載のデバイス。
【請求項１５】
前記ピストン部材（６）及び前記シリンジ本体（４）の前記外側管状ケーシング（８）は、別個の要素である、請求項１〜１４のうちのいずれか１項に記載のデバイス。
【請求項１６】
前記プランジャ本体（２）又は前記シリンジ本体（４）は、前記シリンジ本体（４）に対する前記プランジャ本体（２）の変位を妨げるように構成されている離脱可能な固定部材（３６）を備える、請求項１〜１５のうちのいずれか１項に記載のデバイス。
【発明の詳細な説明】
【技術分野】
【０００１】
本発明は、使い捨てガラス、プラスチック又は金属アンプルのようなアンプルから流体を抽出するためのデバイスに関する。
【背景技術】
【０００２】
米国特許公報ＵＳ６，０９９，５１０は、密封されたガラスアンプルから液体を引き出すためのデバイスを説明している。デバイスは、アンプルの先端が上方を指すように、密封されたガラスアンプルを直立又はわずかに傾斜したポジションに保持するフレームを含む。アンプルの首部の領域においてアンプルの先端を割るために、アンプルの先端部分に対して押圧する要素が設けられる。デバイスはさらに、アンプルの底部とその中の液体の表面との間の領域中のガラスアンプルに導入される引き出し要素を含み、これは液体を引き出すためのカニューレを含む。
【０００３】
米国特許公報ＵＳ５，６２８，３５３は、密封されたガラスアンプルから液体を引き出すための方法及びシステムを開示している。アンプルは、アンプル底部を上に向けて直立ポジションで支持体に保持され、底部は、引き出し要素を挿入することによって機械的に割られる。アンプルの液体内容物は、ガラスアンプルの破片のないゾーンから吸い込まれる。
【０００４】
国際特許出願ＷＯ２０１７／０２１９４９は、医療用アンプル及びバイアルと共に直接使用するためのシリンジを説明している。シリンジは、シリンジバレルと、開口端と、壊れた／開いたアンプルの薬剤含有部分を収容するための中空内部容積とを有するシリンジプランジャとを備える。アンプルインターフェース要素は、医療用アンプルを中空内部容積内に保持するように、アンプルの外面と中空内部容積の表面との間に配備されるように構成される。使用する際、既に開封されたアンプル内に含まれる薬剤は、シリンジプランジャがシリンジバレルから引き出されるときに生成される真空圧によって、シリンジプランジャ中の通路を通ってシリンジバレル中に引き込まれる。
【０００５】
米国特許公報ＵＳ４，５９６，５６１は、バレル、ノズル及び針運搬フェルールを有する事前充填単回シリンジを開示している。栓デバイスが設けられたシャフトはピストン部材として機能する。
【０００６】
国際特許公報ＷＯ０１／００２６１は、事前充填薬剤容器から薬剤を移送するための液体移送デバイスを開示している。ピストンは、デバイスのバレルにスライドしてかつ密封して係合するようにプランジャ上に設けられる。
【発明の概要】
【０００７】
本発明は、使い捨てガラス、プラスチック又は金属アンプルのようなアンプルから試料流体を抽出するためのデバイスを提供することを目的とし、デバイスは、デバイスによって提供される密封環境内で安全にアンプルを開封し、その後、アンプル中に含まれる流体の汚染を防止しながら効率的な方法で空にすることを可能にする。
【０００８】
本発明にしたがうと、シリンジ本体と、アンプルを囲むように構成されているプランジャ本体とを備え、プランジャ本体はシリンジ本体に対して移動可能である、上記の序文で定義したタイプのデバイスが提供される。シリンジ本体は、ピストン部材と、ピストン部材の周りに同心状に構成されている外側管状ケーシングとを備える。ピストン部材には、プランジャ本体内に収容可能であり、アンプル内に挿入されるように構成されている挿入端が設けられる。ピストン部材には、外側管状ケーシングに取り付けられている又は接続されている放出端と、挿入端と放出端との間に伸長する管腔又は通路とが更に設けられる。デバイスのプランジャ本体及びシリンジ本体は、動作中にアンプルの内部を通してピストン部材を移動させ、管腔を通してアンプルから試料流体を押し出すように構成されている協働作動構成を形成する。
【０００９】
本発明の実施形態は、アンプルの安全で信頼性の高い開封と、その後、流体の汚染のリスクなしにアンプルから流体を提供することとを可能にする。さらに、デバイスのユーザは、アンプルの頂部を割った後に鋭い縁で指を切ることによる人身傷害のような、アンプルを使用する際に通常伴われる危険からも保護される。
【００１０】
添付の図面を参照して、本発明を以下でより詳細に説明する。
【図面の簡単な説明】
【００１１】
【図１】図１は、本発明の実施形態にしたがうデバイスの３次元断面図を示している。
【図２】図２は、本発明の実施形態にしたがうデバイスの部分断面図を示している。
【図３】図３は、アンプルが空になったポジションにおける本発明のデバイスのさらなる実施形態の断面図を示している。
【発明を実施するための形態】
【００１２】
本発明の実施形態は、測定機器を試験する及び／又は調整するような品質管理用途に適用することができる。図１は、本発明の実施形態にしたがうアンプルから流体を抽出するためのデバイス１の３次元断面図を示す。図１では、流体のような試料を含むアンプル３又は気密密封されたバイアル３を収容することができるシリンジ状デバイス１が描かれている。アンプル３は、ガラス、プラスチック、又はアルミニウムのような金属でできた使い捨てアンプルであってもよい。ここで使用されるように、アンプル３という用語は、アンプル、バイアル、又はカープルのような任意のタイプの流体容器として理解されるべきである。アンプル３は、典型的には、様々な汚染物質、空気の侵入等から保護されたままにしておかなければならない化学薬品又は医薬品の流体を含むことができ、例えば、サービス提供時又は治療時に医療器具を試験及び／又は調整するために使用される。デバイス１は、シリンジ本体４と、アンプル３を囲むように構成され、シリンジ本体４に対して移動可能なプランジャ本体２とを備える。プランジャ本体２は、例えば、アンプル３の外部衝撃を回避することができるように、アンプル３のための保護環境又は囲いを提供する。シリンジ本体４には、細長いピストン部材６と、ピストン部材６の周りに同心状に構成されている外側管状ケーシング８（又はハウジング）が設けられている。外側管状ケーシング８及びピストン部材６の同心構成は、細長い環状空洞９を提供し、その中に、プランジャ本体２が収容可能であり、例えば、プランジャ本体２の操作部１５に（トルク）力又は圧力を及ぼすことによって、示すように、方向「Ｄ」に直線的にそこを通って移動することができる。示すように、プランジャ本体２は、環状空洞９内に収容可能な円筒体として具現化することができる。
【００１３】
実施形態では、ピストン部材６及びシリンジ本体４の外側管状ケーシング８は、別個の要素であってもよく、ピストン部材６は、例えば、ねじ切りされた又はスナップフィット接続によって、離脱可能な様式で外側管状ケーシング８に接続されてもよい。代替的な実施形態では、ピストン部材６及び外側管状ケーシング８は、例えば圧縮成形又は射出成形によって単一部品として製造することができる一体構成からなる。
【００１４】
有利な実施形態では、シリンジ本体４及びプランジャ本体２の両方が、例えば射出成形技術に適したプラスチック素材で作られる。デバイス１内（及びアンプル３内）の液体の視認性を可能にするために、シリンジ本体４、プランジャ本体２、又はシリンジ本体４及びプランジャ本体２の両方は、透明素材から（部分的に）作られてもよい。プランジャ本体２の素材及び／又は構造は、デバイス１の実際の使用（冷却及び／又は加熱）中にアンプル３と環境との間の熱交換を可能にするように選択されてもよいことに留意されたい。これは、高い熱伝導率を有する素材を選択することによって、又はプランジャ本体２（の壁）に１つ以上の穴を設けることによって達成することができる。
【００１５】
ピストン部材６は、プランジャ本体２内に収容され、アンプル３の内部に挿入されるように構成される挿入端１０を備える。例示的な実施形態では、挿入端１０は、アンプル３を収容するために使用され、保護囲いを提供するように構成されているプランジャ本体２の保管空間５内に収容可能である。ピストン部材６には、挿入端１０の反対側に放出端１２をさらに設けられ、放出端１２は、外側管状ケーシング８、例えば、そのベース部分８ａに取り付けられるか、又は接続される。ピストン部材６は、挿入端１０と放出端１２との間に伸長する管腔１４（又は通路）をさらに備え、アンプル３の内容物がそこを通って輸送されることを可能にする。
【００１６】
プランジャ本体２及びシリンジ本体４は、動作中にアンプル３を通してピストン部材６を移動させ、アンプル３から管腔１４を通して放出端１２に向かって流体を押し出すように構成されている、デバイス１の協働作動構成を形成する。
【００１７】
本発明にしたがうと、プランジャ本体２は、プランジャ本体２の操作部１５に力又は圧力を加えることによって、外側管状ケーシング８のベース部分８ａに向かって環状空洞９内に移動するように配置される。そうすると、ピストン部材６は、アンプル３の壁部又は底部７を通して押し出され、続いて、アンプル３の内部へとより深く移動するにつれて、アンプル３に含まれる試料流体を、管腔１４を通して放出端１２へと押し出す又は促す（正の変位作用）。アンプル３の壁部７は、例えば、壁部７の特別な形状又は印刷された破断線のような追加の特徴によって、ピストン部材６の挿入端１０による圧力がいったん加えられると、制御された方法で割れるように準備される。より一般的には、壁部７は、機械的、熱的又は化学的に処理されて、壁部７のエリアにおけるアンプル３の局所的な弱化を提供してもよい。例えば、壁部７は、刻まれ（ダイヤモンド切削工具を使用するリングの切削）、化学的にエッチングされ、又はレーザ切削されてもよい。プランジャ本体２が環状空洞９内にその最大挿入深さまでいったん挿入されると、プランジャ本体２は、環状空洞９から後退して図１に描くようなコンフィギュレーションに戻ることができる。実施形態のグループでは、デバイス１は、ピストン部材６の放出端１２に接続可能な取り付け部分１８を有する容器部１６をさらに備える。容器部１６は、管腔１４のフラッシングを可能にし、放出端１２を汚染することなくアンプル３からの試料流体で完全に充填されることを可能にするように構成される。例示的な実施形態では、容器部１６は、取り付け部分１８の反対側に穴２０を備え、試料流体がデバイス１から放出される前に、空気又は流体が管腔１４及び容器部１６から除去されることを可能にする。
【００１８】
実施形態では、容器部１６は、管腔１４の内径と同様の直径の細長い通路として具現化されてもよい容器管腔２２を備える。さらなる実施形態では、容器部１６は、管腔１４の内径よりも実質的に大きい内径を有する保管チャンバ２２を備える。
【００１９】
例示的な実施形態では、取り付け部分１８は、外側管状ケーシング８の放出端１２又はベース部分８ａの対応するルアー型接続部分に協働して接続される雄又は雌ルアー型接続部分を含む。代替の例示的な実施形態では、取り付け部分１８は、外側管状ケーシング８の放出端１２又はベース部分８ａとねじ係合している。取り付け部分１８の放出端１２へのルアー及びねじ型の接続の各々は、デバイス１からの試料流体の漏れを防止する信頼性の高い密封接続を提供する。
【００２０】
本発明にしたがうと、新しい未開封のアンプル３をデバイス１内で安全に開封し、続いて試料流体を放出することができる。図１に示し、上述した実施形態は、２段階プロセスを通してアンプル３を開封すること及び空にすることの両方を可能にする。図３は、アンプル３が空にされたポジションにある本発明のデバイス１のさらなる実施形態（容器部１６のない実施形態）の断面図を示す。第１の段階は、シリンジ本体４とプランジャ本体２との間のねじ係合を通した、プランジャ本体２の保護保管空間５中のアンプル３を制御して開封することを表す。第２の段階は、いったんアンプル３が挿入端１０によって開封／貫通された、アンプル３からの試料流体の放出を表し、試料流体の放出は、プランジャ本体２とシリンジ本体４との間のスライド係合、すなわち線形スライド係合を通して開始することができる。
【００２１】
デバイス１の特定の利点は、新しい未開封のアンプル３をデバイス１のプランジャ本体２内に保管することができ、その後、プランジャ本体２を管状外側ケーシング８、すなわち環状空洞９内に直線的に移動させることを通して開封し、空にすることができることである。デバイス１の外側でアンプル３を割る又は開封し、次いで開封されたアンプルをデバイス１に保管する必要は全くない。反対に、本発明のデバイス１は、デバイス１の外側でアンプル３を割る又は開封する必要性を明確に回避し、その結果、アンプル３に含まれる試料流体の汚染及び／又は空気侵入の可能性が最小化される。代わりに、プランジャ本体２は、未開封のアンプル３のための保護環境を提供し、デバイス１自体の中でアンプル３の開封すること及び空にすることを可能にするように構成される。アンプル３内に含まれる試料流体の品質は、デバイス１によって可能な限り保護され、維持されることができ、その結果、アンプル３から放出される流体は、（例えば、空気侵入によって引き起こされる）汚染物質を含まない。さらに、本発明の実施形態はまた、ユーザ又は居合わせた人の（鋭い（ガラス）縁部による切断、ガラス破片を吸入する又は眼に入るような）人的傷害をもたらすことがある割る行為が必要とされないため、アンプル３のユーザに改善された安全性を提供する。
【００２２】
従来型のガラスアンプル３を本発明のデバイス１の実施形態と組み合わせて使用するとき、アンプル３の内部の流体へのアクセスを取得するためにアンプル３の上部（その首部）を割る必要はもはやないことに留意されたい。これは、流体へのアクセスがアンプル３の壁部７から提供されるので、流体でほぼ完全に充填された（アンプル３内に未使用の容積がない）アンプル３を使用できるという追加の利点を有する。
【００２３】
安全面について、デバイス１がアンプル３を開封して空にするためにまだ使用されていないことを保証するために、プランジャ本体２又はシリンジ本体４が、シリンジ本体４に対するプランジャ本体２の変位を妨げるように構成されている離脱可能なロック部材３６を備える実施形態が提供される。ロック部材３６はまた、不正開封防止デバイスとして有利に使用されてもよい。この実施形態では、アンプル３は、ロック部材３６を取り外した後にデバイス１を使用することによってのみ空にすることができる。図１の実施形態では、固定部材３６は、例えば、プランジャ本体２及びシリンジ本体４の相互移動を防止するロック組み立てを用いて、そこから引き剥がされるように構成される、外側管状ケーシング８の円周リム部分８ｂとして実現される。いったんロック部材３６が離脱されると、プランジャ本体２は、もはやシリンジ本体４に対して固定されず、プランジャ本体２は、アンプル３を開封し、試料流体を放出するために、環状空洞９内に移動可能である。
【００２４】
有利な実施形態では、プランジャ本体２及びシリンジ本体４によって形成される作動構成は、プランジャ本体２とシリンジ本体４との間のスライド構成を備え、スライド構成は、プランジャ本体２とシリンジ本体４との間のスライド接触又は係合を可能にする。この実施形態では、プランジャ本体２は、例えば入れ子式に外側管状ケーシング８を通ってスライドすることができ、プランジャ本体２を移動させるために適用される力に依存して、環状空洞９を通るプランジャ本体２の変位速度を変化させることができる。外側管状ケーシング８を通してプランジャ本体２をスライドさせることによって、ピストン部材６がアンプル３を通して移動すると、アンプル３からの流体をデバイス１からゆっくりと又は迅速に放出することができる。
【００２５】
試料流体の実際の放出が可能になる前に、プランジャ本体２、すなわち保管空間５内に存在するか又は貯蔵されている新しい又は密封されたアンプル３を最初に開封する必要がある。この目的のために、プランジャ本体２及びシリンジ本体４によって形成される作動構成は、プランジャ本体２とシリンジ本体４との間にねじ切り構成を備え、ねじ切り構成が、プランジャ本体２とシリンジ本体４との間のねじ係合を可能にする実施形態が提供される。この実施形態では、ねじ切り構成は、シリンジ本体４に対するプランジャ本体２のより良好に制御された相互変位、したがって、シリンジ本体４に対するピストン本体２の回転を通したピストン部材６の挿入端１０による壁部７のより良好に制御された貫通を可能にする。ねじ係合は、壁部７を貫通するための直接的な直線運動動作と比較して、プランジャ本体２の比較的容易な回転を通して、シリンジ本体４に対するプランジャ本体２の比較的遅いが強制的な変位を提供するように構成されることができる。
【００２６】
図１中に描くように、プランジャ本体２とシリンジ本体４との間のねじ係合は、プランジャ本体２上に構成されている雄ねじ１１によって達成することができ、雄ねじ１１は、外側管状ケーシング８の内側突起１３と協働係合する。逆に、別の実施形態では、外側管状ケーシング８が、プランジャ本体２上の外側突起と協働係合する雌ねじを備えることが考えられる。
【００２７】
図１の実施形態に示すように、上述したスライド構成の実施形態とねじ切り構成の実施形態の両方を組み合わせることができ、新しい又は未開封のアンプル３を開封し、その後そこから試料流体を放出するための特に便利で効果的なデバイス１を提供する。
【００２８】
デバイス１の動作の例として、最初に、プランジャ本体２及びシリンジ本体４は、外側管状ケーシング８の内側突起１３と協働するプランジャ本体２上の雄ねじ１１を使用して、図１に描いたようなデバイス１の拡張コンフィギュレーションにおいてねじ係合される。拡張コンフィギュレーションは、プランジャ本体２が外側管状ケーシング８、すなわち内部空洞９への最小挿入深さにあることに対応することに留意されたい。この最小挿入深さでねじ係合が起こる。次いで、アンプル３がプランジャ本体２によって囲まれていると仮定すると、プランジャ本体２の操作部１５の回転は、ピストン部材６の挿入端１０がアンプル３の壁部又は底部７に隣接する点まで、環状空洞９内に変位／移動することを可能にする。この隣接点において、プランジャ本体２をさらに回転させることにより、挿入部１０が制御された方法で壁部７を貫通又は破ることが可能になる。有利には、ねじ係合は、挿入端１０が壁部７を貫通すると、プランジャ本体２の内部空洞９内への衝撃的な移動を実際に防止し、その結果、アンプル３からの試料流体の突然の又は衝撃的な放出が回避される。さらなる回転によって、挿入端１０は、アンプル３の内部へとさらに移動し、その結果、試料流体は、放出端１２から放出される。
【００２９】
ここで、アンプル３内の挿入端１０のある位置では、プランジャ本体２上の雄ねじ１１のようなねじ切り係合端は、プランジャ本体２に沿った、限られた長さにしか及ばず、したがって、雄ねじ１１の長さは、内部空洞９内へのプランジャ本体２の最大挿入深さよりもかなり短い。雄ねじ１１がもはや内側突起１３を係合しなくなると、もはやプランジャ本体２を回転させる必要がなく、プランジャ本体２を内部空洞９内のさらに先へと自由にスライドさせることを可能にする。したがって、この点で、スライド係合は、ねじ係合が終了すると起こり、プランジャ本体２は、デバイス１の押し縮めコンフィギュレーションまで内部空洞９内に移動することができ、すなわち、プランジャ本体２は、内部空洞９の最大挿入深さに向かってさらに挿入される。
【００３０】
上記から、ねじ係合がプランジャ本体２とシリンジ本体４との間のスライド係合の形態を意味することも容易に理解されるが、これは、プランジャ本体２の回転によって達成されることに留意されたい。しかしながら、上述のスライド構成及び係合は、プランジャ本体２の回転を必要としないものとして解釈すべきである。
【００３１】
ユーザがデバイス１から一定量の流体を容易かつ適切に投与するのを助けるために、プランジャ本体２には、例えば測定ラインが設けられる。代替的に又は追加的に、プランジャ本体２とシリンジ本体４との組み合わせには、（デバイス１から放出される予め定められた量の流体に対して触覚フィードバックを提供する）機械的戻り止めが設けられてもよい。上述したような回転インプリメンテーションのケースでは、様々な部品（例えば、ねじ係合のピッチ）の寸法は、全回転毎に標準量の放出流体を提供するように選択することができる。
【００３２】
先に述べたように、プランジャ本体２は、アンプル３のための保護囲いを提供して、例えば、保管及び輸送中の外部衝撃による損傷を防止するだけでなく、デバイス１の内部汚染を最小限に抑える。アンプル３とデバイス１との間の密封係合をさらに改善するために、本発明のデバイス１の実施形態の、特にその密封部材２４の部分断面図を示す図２を参照する。特に、アンプル３とデバイス１との間の密封係合をさらに改善するために、デバイス１が、プランジャ本体２の内面２ａと密封係合する第１の密封面２６を有する密封部材２４をさらに備える実施形態が提供される。密封部材２４は、アンプル３の外面３ａと密封係合するように構成されている第２の密封面２８をさらに備え、第３の密封面３０は、ピストン部材６の外面６ａと密封係合して設けられる。
【００３３】
密封部材２４は、アンプル３、プランジャ本体２、及びピストン部材６と同時に密封係合するように構成されている「３つの」密封面２６、２８、３０を提供し、これらの密封面は、動作中にアンプル３に含まれる流体試料の汚染を防止する。さらに、密封面２６、２８、３０は、漏れを防止し、アンプル３からの流体試料の放出を促進する。
【００３４】
有利な実施形態では、密封部材２４は、第１、第２及び／又は第３の密封面２６、２８、３０に設けられた１つ以上の周方向リッジ３２を備える。周方向リッジ３２は、追加の密封係合を提供するだけでなく、デバイス１内での密封部材２４のポジショニングを促進するために必要とされる場合に摩擦係合を増大させる。例えば、図２に示されるような密封部材２４の実施形態では、第１の密封面２６は、プランジャ本体２の内面２ａと密封係合する１つ以上の周方向リッジ３２が設けられる。周方向リッジ３２は、密封部材２４がプランジャ本体２内でより緊密な嵌合を示すように、密封部材２４とプランジャ本体２との間の摩擦係合をさらに増加させる。このようなより緊密な嵌合は、ピストン部材６の外面６ａが第３の密封面３０に沿って移動するとき、密封部材２４の静的ポジショニングを促進する。密封部材２４はまた、デバイス１の組み立てに有利である。プランジャ本体２の保管空間５は、アンプル３の外形に適合する内壁を有する（使用されるアンプル３の特定のタイプに応じて変化できる）。したがって、組み立ては、プランジャ本体２を直立に保持し、アンプル３を挿入して、簡単に開始することができる。密封部材２４は、プランジャ本体２への挿入の前に、又はアンプル３がプランジャ本体２に挿入された後に、アンプル３の底部に適用することができる。次いで、シリンジ本体４は、（例えば、デバイス１をその保管コンフィギュレーションにロックするために固定部材３６を使用して）伸長したポジションでプランジャ本体２に取り付けられる。次いで、容器部１６は、ピストン部材６の放出端１２に取り付けられるか、又はプランジャ本体２に嵌合する前にシリンジ本体４に既に取り付けられている。
【００３５】
デバイス１の組み立て中に又は組み立て前に、（アンプル３、プランジャ本体２、密封部材２４、ピストン部材６のような）滅菌された部品を使用すること、又は組み立て直前にこれらの部品を滅菌することが可能である。これにより、無菌性の程度を損なうことなく、無菌性を必要とする様々な用途のためにデバイスを使用して流体を提供することができる。
【００３６】
代替的な実施形態では、プランジャ本体２の操作部１５は、保管空間５にアクセスするための離脱キャップ部材を備え、アンプル３をプランジャ本体２に挿入し、又はそこから取り外すことを可能にする。代替実施形態として、離脱キャップは、フリップキャップ構成として実現されてもよく、プランジャ本体と離脱キャップ部材との組み合わせの容易な取り扱いを可能にする。このグループの実施形態は、特定の状況においてアンプル３をデバイス１に容易に挿入することを可能にし、また、空になったアンプル３を新しいアンプル３と交換することによってデバイス１を再使用することを可能にする。デバイス１を使用するために、新しい又は開封されていないアンプル３が提供され、操作部１５内のキャップ部材を離脱し、続いて閉じることによって保管空間５に入れられる。キャップ部材、又はデバイス１の他の部分には、不正開封防止密封コンポーネントが設けられてもよい。
【００３７】
さらに別の実施形態では、密封部材２４及びプランジャ本体２は、単一のコンポーネントに一体化され、すなわち一体構造である。密封部材２４は、例えば２コンポーネント射出成形技術を使用してプランジャ本体２と一体化することができる。これは、組み立ての間に単一のコンポーネントのみを取り扱うことを可能にするが、動作中にプランジャ本体２内のアンプル３の底部の十分な密封を依然として提供する。
【００３８】
実施形態では、ピストン部材６の挿入端１０は、アンプル３の底部７のような、アンプル３の壁部７を貫通するように構成されている貫通部分１０ａを含む。この実施形態は、ピストン部材６の挿入端１０によって、未開封のアンプル３をデバイス１内で効果的に開封することを可能にする。プランジャ本体２を外側管状ケーシング８内に移動させることにより、貫通部分１０ａは、アンプル３の壁部７を通って付勢される。プランジャ本体２を外側管状ケーシング８内に更に変位させると、挿入端１０がアンプル３の内部により深く移動し、試料流体を管腔１４内に押し出す。
【００３９】
アンプル３内への挿入端１０のより容易な挿入を促進するために、貫通部分１０ａが段階的な又は段付き直径プロフィールを含む実施形態が提供される。このような段階的な直径プロフィールは、貫通部分１０ａが壁部７を容易に割ると、プランジャ本体２を環状空洞９内に移動させるのに必要な力を低減するように構成することができる。例えば、ピストン部材６の大外径よりも小さい貫通部分１０ａの外径を含む第１の段階又はステップが提供される実施形態が提供されてもよい。このような第１の段階は、挿入端１０によって加えられる押し出し力をアンプル３の壁部７の局所的な部分に集中させる。さらなる実施形態では、貫通部分１０ａは、約１−７ｍｍの外径を有する第１の段階又はステップと、約７.１から１１ｍｍの外径を有する第２の段階／ステップとを含むことが考えられ、これは３ｍｌタイプのアンプル３に典型的である。より小さい又はより大きいタイプのアンプル３が使用される場合（例えば、２、５又は１０ｍｌ）、もちろん値は異なるかもしれず、例えば、第１の段階は約１−１０ｍｍの外形を有し、第２の段階は、約１０から１４ｍｍの外形を有する。この実施形態では、第１の段階又はステップは、壁部７の貫通を容易にするように最適化されてもよく、第２の段階又はステップは、アンプル３からの正の流体変位のために最適化されてもよい。第２の段階はまた、連続的に増加する直径（傾斜壁）で実現されてもよい。さらに別の実施形態では、貫通部分１０ａは、管腔１４の入口を取り囲む凹部を有する面を有し、これにより、アンプル３に対する貫通作用から生じる砕片を効果的に捕らえ、管腔１４の閉塞の可能性を防止することができる。
【００４０】
外側管状ケーシング８とプランジャ本体２との間の相対運動を通したアンプル３からの流体変位は、ピストン部材６の外径がアンプル３の内大径と実質的に等しいか又はそれより小さい実施形態を通して改善することができる。この実施形態では、ピストン部材６は、ピストン部材６及びアンプル３の内面に沿った漏れを最小限に抑えるために、アンプル３の内部にぴったりと嵌合するように構成することができる。
【００４１】
上述したように、本発明のデバイス１は、例えば、デバイス１からの流体の直接的な放出が必要とされるシリンジ状デバイスとして使用することができる。これは、デバイス１が、家庭及び他の遠隔地のような（制御された）実験室環境の外部の特定のロケーションに運ばれ、訓練されていない人によって使用されることになるポイントオブケア用途において有利であることがある。
【００４２】
管腔１４の内径がアンプル３の内大径の予め定められた割合（例えば、３分の１）未満である実施形態が提供される。この実施形態は、管腔１４の内部容積を最小限にし、管腔１４は、主に、アンプル３から放出端１２に向かって流体を輸送する役割を果たす。また、管腔１４の内部容積を最小化することは、アンプル３からの流体の浪費を低減し、これは、アンプル３からの最大収量が所望される局所的なポイントオブサービス／直接放出の目的に有利である。さらに別の実施形態では、予め定められた割合は、（依然として、管腔１４内に比較的小さい容積を提供する）２分の１、又はさらには（管腔１４内にさらに小さい容積を提供する）５分の１である。例示的な実施形態では、アンプル３の内径は１１.７５ｍｍ（外径１２.７５ｍｍ、壁厚０.５ｍｍ）であり、管腔１４の内径は３ｍｍである。様々なサイズのアンプル３について、内径は（標準）外径と同様に変化してもよく：１及び２ｍｌのアンプル３について、標準外径は１０．７５ｍｍであり；３ｍｌのアンプルについて、１２．７５ｍｍであり、５ｍｌのアンプルについて、１４．７５ｍｍであり、１０ｍｌのアンプルについて、１７．７５ｍｍであり、２０、２５及び３０ｍｌのアンプルについて、２２．５ｍｍである。壁厚は約０.５ｍｍであるが、これは、より高い容積のアンプル３に対してより高くてもよいことに留意されたい。この実施形態では、針部材（図示せず）が、ピストン部材６の放出端１２又は外側管状ケーシング８のベース部分８ａに接続されてもよい。
【００４３】
さらなる実施形態では、アンプル３に含まれる流体が供給される別のデバイスに接続するように放出端１２又はベース部分８ａが構成されることも考えられる。例えば、測定装置のケースでは、本発明のデバイス１は、アンプル３から測定装置に直接試験流体又は調整流体を提供するために使用することができ、デバイス１の放出端１２は、測定装置の流体入力ポートに接続される。
【００４４】
更に別の用途では、本発明のデバイス１は、アンプル３中に含まれる流体の試料を、例えば管腔１４内に挿入された外部針によって回収することができるサンプリングデバイスとして使用することができる。したがって、この用途では、デバイス１は、そこから直接放出するために使用されるのではなく、例えば、針が管腔１４に挿入される一般的なシリンジを使用して、アンプル３中の流体をそこから回収することができるデバイスとして使用される。シリンジプランジャをシリンジバレルから後退させることにより、その後、管腔１４内の流体を一般的なシリンジ内に移送することができる。このような用途を考慮して、管腔１４の内径がアンプル３の内大径の予め定められた割合（例えば、３分の１）よりも大きい実施形態がある。この実施形態は、デバイス１から流体を抽出するために、針が管腔１４に挿入されることを可能にする。さらなる実施形態では、予め定められた割合は、半分、又は５分の１である。
【００４５】
従来技術のデバイスとは対照的に、本発明の実施形態にしたがうデバイス１は、開放環境においてアンプル３を開封しなければならないという望ましくない必要性に対する解決策を提供する。本発明のデバイス１を使用することにより、アンプル３中の試料流体と環境からの空気及び／又は汚染物質との接触が防止される。これを達成するために、プランジャ本体２は、アンプル３のための保護囲い／保管空間５を提供する。プランジャ本体２を外側管状ケーシング８、すなわち環状空洞９内に移動させることにより、挿入端１０がアンプル３内に付勢されると、アンプル３の壁部７が貫通／破られる。壁部７を貫通する間、ガラス、プラスチック又は金属の破片のような小さな壁の破片／砕片が、アンプル３中に含まれる流体内に残ることがある。しかしながら、このような壁の破片は、ユーザ又は関連する測定デバイスにとって有害であるかもしれない（ガラス）裂片をもたらす可能性があるので、管腔１４を通って移送されるべきではない。アンプル３の壁の破片がデバイス１から放出又は回収されるのを防止するために、管腔１４がフィルタ部材３４を備え、壁の破片及び砕片が放出されるのをブロックする、（そして、例えば、敏感なセンサをブロックする又は妨害することがある測定装置に至る）実施形態が提供される。有利には、フィルタ部材３４は、流体から壁の破片／砕片を濾過するだけでなく、アンプル３からより多くの量の流体を移動させることも可能にする。実施形態では、挿入端１０は、フィルタ部材３４を備え、フィルタ部材３４は、プランジャ本体２に最も近位の管腔１４内に構成される。
【００４６】
フィルタ部材３４を有する本発明のデバイス１の実施形態は、デバイス１と組み合わせたアンプル３が、流体が生きている人間又は動物に投与される用途で使用されるときに、危険な壁の破片及び砕片が人間／動物の身体に入る可能性がないことを保証するので、さらなる利点を有する。
【００４７】
フィルタ部材３４は、例えば、多孔質素材フィルタ、フェルト又は他の網又はふるいタイプのフィルタ、チャネルの迷路構造を有するフィルタ（例えば、閉鎖蓋の縁部に小さいチャネルを形成する挿入端１０の貫通部分１０ａ上の（多段）閉鎖蓋）のような、いくつかの構造的変形で実現することができる。フィルタ素材は多様であってもよく、例えば、ポリマー素材、金属素材を含むが、これらに限定されない。構造的には、フィルタ部材３４は、挿入端１０に接着、溶接、又はそうでなければ固定されてもよい。
【００４８】
本発明は、図面に示されるような多くの例示的な実施形態を参照して上記で説明してきた。いくつかの部分又は要素の修正及び代替の実施が可能であり、添付の特許請求の範囲中で定義される保護の範囲に含まれる。
【図１】
2021501035.tif 000003
【図２】
2021501035.tif 000004
【図３】
2021501035.tif 000005
【国際調査報告】
2021501035.tif 000006
2021501035.tif 000007
2021501035.tif 000008
2021501035.tif 000009